(57)【特許請求の範囲】
【請求項１】
折板屋根上に、この折板屋根と間隔を置いた浮上状態にして積層用折板材を取付する折板屋根用二重葺金具であって、左右両端の突出板部が下部となり各突出板部の基端部間の連設板部が上部となるコ字形の金具本体の前記各突出板部の一部を、前記折板屋根の山部の左右の斜面に沿設固定する固定用脚部とし、この金具本体上部の前記連設板部に固定部を設けて、この固定部にこの固定部の上方から被嵌した前記積層用折板材の山部を固定し得るように構成した折板屋根用二重葺金具において、前記左右夫々の突出板部の対向内側に突出して前記折板屋根の山部の頂面に載置する載置用切り出し片部を、各突出板部に設け、この載置用切り出し片部は、各突出板部から切り出した切り出し片を、この切り出し片の基端部の折縁を介して各突出板部の対向内側に向けて折曲突出させたこの折曲切り出し片で構成すると共に、この載置用切り出し片部は、各突出板部に対して水平方向に設けた折縁や垂直方向に設けた折縁ではなく、傾斜方向に設けた前記折縁を介して折曲突出させた構成として、この載置用切り出し片部の片縁が前記折板屋根の山部の頂面に載置当接する構成としたことを特徴とする折板屋根用二重葺金具。
【請求項２】
前記固定用脚部を前記折板屋根の左右の斜面に沿設した際に、折板屋根の山部の頂面に載置する前記載置用切り出し片部を前記左右夫々の突出板部に設けたことを特徴とする請求項１記載の折板屋根用二重葺金具。
【請求項３】
前記載置用切り出し片部は、前記左右夫々の突出板部の前後二箇所に形成し、この各突出板部の左右前後の載置用切り出し片部間に、前記折板屋根の山部上に突出状態に設けられる折板屋根固定ナットを挿入可能なナット挿入用間隙を形成したことを特徴とする請求項１，２のいずれか１項に記載の折板屋根用二重葺金具。
【発明の詳細な説明】
【技術分野】
【０００１】
本発明は、古くなった折板屋根の葺替えや二重構造の折板屋根を構築するための折板屋根用二重葺金具に関するものである。
【背景技術】
【０００２】
従来の折板屋根用の二重葺金具としては、金属製の帯板を略コ字状に折曲することで、左右両端の突出板部が下部となり各突出板部の基端部間の連設板部が上部となるコ字形の金具本体を構成し、この金具本体の各突出板部の一部（中程より下方側の部分）をハ字状に対設する形状に折曲して、このハ字状に対設する突出板部の下方側を折板屋根の山部の左右の斜面に沿設固定可能な固定用脚部とし、この金具本体上部の前記連設板部に、積層用折板材の山部を被嵌固定するための固定部を立設状態に設けたものがある。
【０００３】
更に詳しくは、各固定用脚部には、ビス穴を貫通形成し、このビス穴を介して折板屋根の山部に沿設させた各固定用脚部をビス止めし得るように構成している。
【０００４】
また、金具本体上部の前記連設板部の中心部には、固定部としての固定ボルトを立設状態に突設し、この固定ボルトに上方から被嵌した前記積層用折板材の山部をナット止めし得るように構成している。
【０００５】
また、従来、上記金具本体が複数連続した形状のものも実施されている（例えば、特許文献１参照。）。
【先行技術文献】
【特許文献】
【０００６】
【特許文献１】意匠登録第１１６７７４０号公報
【発明の概要】
【発明が解決しようとする課題】
【０００７】
本発明は、この種折板屋根用二重葺金具の実用性を更に追求したもので、折板屋根上に安定的に仮置きできて固定用脚部の固定作業が容易に行われると共に、積層用折板材に上方から加わる荷重に対して高い耐荷重性能を発揮する画期的な折板屋根用二重葺金具を提供するものである。
【課題を解決するための手段】
【０００８】
添付図面を参照して本発明の要旨を説明する。
【０００９】
折板屋根１上に、この折板屋根１と間隔を置いた浮上状態にして積層用折板材２を取付する折板屋根用二重葺金具であって、左右両端の突出板部３が下部となり各突出板部３の基端部間の連設板部４が上部となるコ字形の金具本体Ａの前記各突出板部３の一部を、前記折板屋根１の山部５の左右の斜面６に沿設固定する固定用脚部７とし、この金具本体Ａ上部の前記連設板部４に固定部８を設けて、この固定部８にこの固定部８の上方から被嵌した前記積層用折板材２の山部９を固定し得るように構成した折板屋根用二重葺金具において、前記左右夫々の突出板部３の対向内側に突出して前記折板屋根１の山部５の頂面５Ａに載置する載置用切り出し片部10を、各突出板部３に設け、この載置用切り出し片部10は、各突出板部３から切り出した切り出し片を、この切り出し片の基端部の折縁11を介して各突出板部３の対向内側に向けて折曲突出させたこの折曲切り出し片10で構成すると共に、この載置用切り出し片部10は、各突出板部３に対して水平方向に設けた折縁や垂直方向に設けた折縁ではなく、傾斜方向に設けた前記折縁11を介して折曲突出させた構成として、この載置用切り出し片部10の片縁が前記折板屋根１の山部５の頂面５Ａに載置当接する構成としたことを特徴とする折板屋根用二重葺金具に係るものである。
【００１０】
また、前記固定用脚部７を前記折板屋根１の左右の斜面６に沿設した際に、折板屋根１の山部５の頂面５Ａに載置する前記載置用切り出し片部10を前記左右夫々の突出板部３に設けたことを特徴とする請求項１記載の折板屋根用二重葺金具に係るものである。
【００１１】
また、前記載置用切り出し片部10は、前記左右夫々の突出板部３の前後二箇所に形成し、この各突出板部３の左右前後の載置用切り出し片部10間に、前記折板屋根１の山部５上に突出状態に設けられる折板屋根固定ナット12を挿入可能なナット挿入用間隙13を形成したことを特徴とする請求項１，２のいずれか１項に記載の折板屋根用二重葺金具に係るものである。
【発明の効果】
【００１２】
本発明は上述のように構成したから、たとえ折板屋根に多少変形があったとしても左右の突出板部に設けた載置用切り出し片部を折板屋根の山部の頂面に確実に載置して金具本体を安定的に載置（仮置き）することができ、この折板屋根上に安定的に仮置きされた金具本体の固定用脚部を、折板屋根の斜面に対して固定する作業を容易に行うことができ、しかも、本金具を用いて完成した二重葺折板屋根は、積層用折板材上に上方からの大きな荷重が加わった際に、この荷重が金具本体の固定用脚部を介して折板屋根の斜面と、載置用切り出し片部を介して折板屋根の山部とに分散して支えられることになるので、良好な耐荷重性能を発揮することとなる上、載置用切り出し片部が折縁を介して簡単に折れ曲がったり載置用切り出し片部自身が簡単に変形したりしにくいために本金具を介して固定されている積層用折板材が沈み込むような変形を生じにくく、高強度な二重葺折板屋根を構築可能となり、更に本発明では、載置用切り出し片部をコ字形の金具本体の左右の突出板部から切り出す構成であるため、従来品に比して大きな構造変更を施すことなく、簡易に且つコスト安に設計実現可能であるなど、極めて実用性に優れた画期的な折板屋根用二重葺金具となる。
【００１３】
また、請求項２記載の発明においては、左右の固定用脚部と載置用切り出し片部とが同時に折板屋根上に載置するので、本金具を折板屋根上に一層安定的に載置（仮置き）でき、これにより本金具の固定用脚部を折板屋根の左右の斜面に沿設固定する作業が一層容易に行われる極めて実用性に優れた構成の折板屋根用二重葺金具となる。
【００１４】
また、請求項３記載の発明においては、各突出板部の前後二箇所から対向内側に載置用切り出し片部を突出する構成でありながら、載置用切り出し片部が切り出される各突出板部の強度落ちが少ない上、この載置用切り出し片部が邪魔にならずに折板屋根固定ナットをナット挿入用間隙に挿入するようにして本金具を折板屋根上に固定可能な重ね式折板屋根用に好適な折板屋根用二重葺金具となり、しかも、折板屋根を固定するタイトフレームの上方に本金具を設置固定可能となるので、積層用折板材に上方から加わる荷重が直接的にタイトフレームにも支持される高強度な二重葺折板屋根を構築可能となるなど、一層実用性に優れた構成の折板屋根用二重葺金具となる。
【図面の簡単な説明】
【００１５】
【図１】本実施例を示す斜視図である。
【図２】本実施例を示す別角度からの斜視図である。
【図３】本実施例を示す側面図である。
【図４】本実施例を示す底面図である。
【図５】本実施例を折板屋根の山部に設置しようとする途中の状態を示す説明正面図である。
【図６】本実施例を折板屋根の山部に設置した状態を示す説明正面図である。
【図７】図４の状態から固定用脚部を折板屋根の斜面にビス止め固定した状態を示す説明正面図である。
【図８】本実施例の固定部を利用して折板屋根上に積層用折板材を固定した二重葺折板屋根の完成状態を示す説明正面図である。
【発明を実施するための形態】
【００１６】
好適と考える本発明の実施形態を、図面に基づいて本発明の作用を示して簡単に説明する。
【００１７】
金具本体Ａは、下部左右の突出板部３の一部である固定用脚部７を、折板屋根１の山部５の左右の斜面６に沿設固定することによって折板屋根１上に固定するが、この際、金具本体Ａの左右夫々の突出板部３の対向内側に突出する載置用切り出し片部10が折板屋根１の山部５の頂面５Ａに載置して、金具本体Ａが折板屋根１の山部５上に安定的に載置することになる。
【００１８】
従って、例えば、折板屋根１に多少変形があったりすると、固定用脚部７を斜面６に対して安定的に沿設できない場合があるが、本発明によれば、折板屋根１に多少の変形があっても載置用切り出し片部10が山部５の頂面５Ａに確実に載置して金具本体Ａを安定的に載置することができるので、この折板屋根１上に安定的に載置された（仮置きされた）金具本体Ａの固定用脚部７を斜面６に対して固定する作業が容易に行われることとなる。
【００１９】
折板屋根１に固定された金具本体Ａ上部の固定部８に、積層用折板材２の山部９を被嵌固定することで二重葺折板屋根が完成するが、本金具を用いて完成した二重葺折板屋根は、積層用折板材２上に例えば人が載るなどして上方からの大きな荷重が加わると、この荷重が金具本体Ａの固定用脚部７を介して折板屋根１の斜面６に支えられるだけでなく、載置用切り出し片部10を介して折板屋根１の山部５にも分散して支えられることになるので、良好な耐荷重性能を発揮して積層用折板材２が変形しにくい。
【００２０】
また、金具本体Ａの各突出板部３の傾斜方向に設けた前記折縁11を介して折曲突出させた載置用切り出し片部10は、折板屋根１の山部５の頂面５Ａに対し傾斜状態となってその片縁が頂面５Ａに載置当接するので（載置用切り出し片部10が頂面５Ａに対して斜めに立った状態で載置するので）、水平方向に設けた折縁を介して折曲突出させた載置用切り出し片部10の片面が頂面５Ａに当接するような構成と比べると、上方からの荷重を載置用切り出し片部10がその高さ方向の広幅をもって支持できるために強度的に有利となる。
【００２１】
従って、積層用折板材２に上方から大きな荷重が加わった際には、この載置用切り出し片部10が折縁11を介して簡単に折れ曲がったりこの載置用切り出し片部10自身が簡単に変形したりしにくく、よって、本金具を介して固定されている積層用折板材２が沈み込むような変形を生じにくい。
【００２２】
また、コ字形の金具本体Ａの左右両端の突出板部３から載置用切り出し片部10を切り出して折曲突出させる本発明の構成は、従来品に比して大きな構造変更を施すことなく構成可能であるため、簡易に且つコスト安に設計実現可能である。
【００２３】
また、例えば、前記固定用脚部７を前記折板屋根１の左右の斜面６に沿設した際に、折板屋根１の山部５の頂面５Ａに載置する前記載置用切り出し片部10を前記左右夫々の突出板部３に設ければ、左右の固定用脚部７と数箇所の載置用切り出し片部10とが同時に折板屋根１上に載置するので、本金具を折板屋根１上に一層安定的に載置（仮置き）でき、これにより本金具の固定用脚部７を折板屋根１の左右の斜面６に沿設固定する作業が一層容易に行われることとなる。
【００２４】
また、例えば、前記載置用切り出し片部10は、前記左右夫々の突出板部３の前後二箇所に形成し、この各突出板部３の左右前後の載置用切り出し片部10間に、前記折板屋根１の山部５上に突出状態に設けられる折板屋根固定ナット12を挿入可能なナット挿入用間隙13を形成した構成とすれば、突出板部３の対向内側に載置用切り出し片部10を突出する構成でありながら、この載置用切り出し片部10を邪魔にすることなく、重ね式折板屋根の折板屋根固定ナット12をナット挿入用間隙13に挿入するようにして本金具を折板屋根１上に固定できる。即ち、重ね式折板屋根用として好適であると共に、折板屋根１を固定するタイトフレーム14の上方の山部５に本金具を設置固定可能であるので、積層用折板材２に上方から加わる荷重が直接的にタイトフレーム14にも支持される高強度な二重葺折板屋根を構築可能となる。
【００２５】
尚、載置用切り出し片部10は、垂直方向に設けた折縁を介して折曲突出させた方が上方からの荷重に対して強度的に有利となるが、このようにして載置用切り出し片部10が切り出されると左右の突出板部３の前後二箇所に生じる切り出し穴が突出板部３の水平方向に近接状態に並んでこの切り出し穴による強度落ちを生じてしまう場合がある。
【００２６】
この点、本発明のように、傾斜方向に設けた前記折縁11を介して前後二箇所から折曲突出させた載置用切り出し片部10であれば、切り出し穴も突出板部３の傾斜方向に生じて数箇所の切り出し穴同士が接近しないように構成可能であるので、突出板部３から載置用切り出し片部10を切り出す構成でありながら突出板部３の強度落ちの少ない高強度な金具本体Ａを構成可能となる。
【実施例】
【００２７】
本発明の具体的な実施例について図面に基づいて説明する。
【００２８】
図面は、重ね式折板構造屋根を示しており、折板屋根１は、タイトフレーム14の山部に立設した取付ボルト17（剣先ボルト）を利用して折板屋根固定ナット12によりタイトフレーム14に固定されていて、折板屋根１の山部５の上部に取付ボルト17と折板屋根固定ナット12とが露出している。
【００２９】
本実施例は、この重ね式の折板屋根１上に、この折板屋根１と間隔を置いた浮上状態にして積層用折板材２を取付する折板屋根用二重葺金具に適用したものである。
【００３０】
具体的には、本実施例の金具本体Ａは、背景技術の項で説明したものと同様の構成を採用している。
【００３１】
また、本実施例では、金具本体Ａの左右夫々の突出板部３の対向内側に突出して前記折板屋根１の山部５の頂面５Ａに載置する載置用切り出し片部10を、各突出板部３の数箇所に設けている。
【００３２】
具体的には、この載置用切り出し片部10は、前記左右夫々の突出板部３の前後二箇所に間隔を置いて形成し、この各突出板部３の左右前後の載置用切り出し片部10間に、前記折板屋根１の山部５上に突出状態に設けられる前記折板屋根固定ナット12を挿入可能なナット挿入用間隙13を形成している。
【００３３】
従って、図５に示すように、折板屋根１の山部５の上部に露出する取付ボルト17と折板屋根固定ナット12とを邪魔にすることなくナット挿入用間隙13に挿入することができ、これにより折板屋根１上で最も強度の高いタイトフレーム１上に本金具本体Ａを固定でき、この本金具本体Ａを介して固定される積層用折板材２に上方から加わる荷重を強固に支持できる構成としている。また、折板屋根１に多少変形があったりすると、固定用脚部７を斜面６に対して安定的に沿設できない場合があるが、本実施例によれば、折板屋根１に多少の変形があっても前後左右合計四箇所の載置用切り出し片部10が山部５の頂面５Ａに確実に載置当接して金具本体Ａを安定的に載置することができる構成としている。
【００３４】
また、この載置用切り出し片部10は、各突出板部３の前後位置から切り出した切り出し片を、この切り出し片の基端部の折縁11を介して各突出板部３の対向内側に向けて折曲突出させたこの折曲切り出し片10で構成すると共に、この載置用切り出し片部10は、各突出板部３に対して水平方向に設けた折縁や垂直方向に設けた折縁ではなく、傾斜方向に設けた折縁11を介して折曲突出させた構成としている（図１〜図３参照）。
【００３５】
即ち、この前後左右合計四箇所の載置用切り出し片部10は、いずれもその片面が折板屋根１の山部５の頂面５Ａに対し傾斜状態となるように切り出し形成し、且つ折曲突出させたその片縁の下側縁が略水平縁となるように折曲切り出し片10の形状並びに折曲角度などを設定構成して、この載置用切り出し片部10の下側の略水平片縁が頂面５Ａに載置当接する（載置用切り出し片部10が頂面５Ａに対して斜めに立った状態で載置する）構成としている。
【００３６】
従って、本実施例の載置用切り出し片部10は、水平方向に設けた折縁を介して折曲突出させた載置用切り出し片部の片面が山部５の頂面５Ａに当接するような構成と比べると、上方からの荷重を載置用切り出し片部10の片幅方向（載置用切り出し片部10の高さ方向の広幅）で支持できるために強度的に有利となり、積層用折板材２に上方から大きな荷重が加わった際には、この載置用切り出し片部10が折縁11を介して簡単に折れ曲がったりこの載置用切り出し片部10自身が簡単に変形したりしにくく、よって、本金具を介して固定されている積層用折板材２が沈み込むような変形を生じにくい構成としている。
【００３７】
また、本実施例の載置用切り出し片部10は、いずれも折縁11より下方側の部位を略三角形状に切り出して形成している。更に詳しくは、前記各突出板部３の前側の載置用切り出し片部10は、図４中の矢印で示すように、前記切り出し片を前記折縁11を介して突出板部３に対し内側から外側へ向かって（後ろから前に向かって）折曲突出させた前記折曲切り出し片10で構成し、各突出板部３の後側の載置用切り出し片部10は、前記切り出し片を前記折縁11を介して突出板部３に対し内側から外側へ向かって（前から後ろに向かって）折曲突出させた前記折曲切り出し片10で構成した場合を示している。
【００３８】
従って、これにより各突出板部３の前後位置の載置用切り出し片部10を夫々やや前後方向の外側に開き気味に折曲突出させると前後の載置用切り出し片部10間に十分な間隔を確保でき、前記ナット挿入用間隙13を広く確保できるように構成している。
【００３９】
尚、図示していないが、載置用切り出し片部10は、折縁11より上方側の部位を切り出してこの切り出し片を折縁11を介して外側から内側に向かって折曲突出させることで構成しても良い。
【００４０】
また、本実施例では、前記固定用脚部７を前記折板屋根１の左右の斜面６に沿設した際に、前記載置用切り出し片部10が同時に折板屋根１の山部５の頂面５Ａに載置当接するように、この各載置用切り出し片部10の前記各突出板部３への形成位置を設定している。
【００４１】
従って、左右の固定用脚部７と数箇所の載置用切り出し片部10とが同時に折板屋根１上に載置するので、本金具を折板屋根１上に極めて安定的に仮置きでき、これにより本金具の固定用脚部７を折板屋根１の左右の斜面６に沿設固定する作業を容易に行うことができるように構成している。
【００４２】
具体的には、各載置用切り出し片部10は、各突出板部３の中ほどの前記固定用脚部７の折曲縁付近から切り出し形成している。
【００４３】
次に、本金具を用いた折板二重葺屋根の構築方法を説明する。
【００４４】
折板屋根１の山部５に金具本体Ａを上方から被嵌し（図５参照）、折板屋根１の山部５の上部に露出している取付ボルト17と折板屋根固定ナット12とをナット挿入用間隙13に挿入しつつ、下部左右の固定用脚部７を折板屋根１の山部５の左右の斜面６に沿設すると共に、山部５の頂面５Ａに載置用切り出し片部10を載置し（図６参照）、固定用脚部７を斜面６に例えばビス19止めして本金具を折板屋根１上に固定する（図７参照）。
【００４５】
次いで、折板屋根１に固定された金具本体Ａ上部に積層用折板材２を上方から被嵌し、固定ボルト８を積層用折板材２の山部９に貫通してナット16止めすることで積層用折板材２を被嵌固定して二重葺折板屋根を完成する（図８参照）。
【００４６】
また、図８では、折板屋根１とこの折板屋根１の上方に積層する積層用折板材２との間に断熱材15を配して断熱二重葺折板屋根を構築した場合を示している。
【００４７】
尚、本発明は、本実施例に限られるものではなく、各構成要件の具体的構成は適宜設計し得るものである。
【符号の説明】
【００４８】
１  折板屋根
２  積層用折板材
３  突出板部
４  連設板部
５  山部
５Ａ  頂面
６  斜面
７  固定用脚部
８  固定部
９  山部
10  載置用切り出し片部（折曲切り出し片）
11  折縁
12  折板屋根固定ナット
13  ナット挿入用間隙
Ａ  金具本体
【図１】
0005455740.tif 000002
【図２】
0005455740.tif 000003
【図３】
0005455740.tif 000004
【図４】
0005455740.tif 000005
【図５】
0005455740.tif 000006
【図６】
0005455740.tif 000007
【図７】
0005455740.tif 000008
【図８】
0005455740.tif 000009